(57)【要約】【課題】より簡易な仕組みでシアン（Ｃ）、マゼンタ（Ｍ）、イエロー（Ｙ）及びブラック（Ｋ）の四色の組み合わせの色を赤（Ｒ）、緑（Ｇ）及び青（Ｂ）の三色の組み合わせの色に変換する。【解決手段】色変換部６２は、入力されたＣ、Ｍ、Ｙ、Ｋの色情報のうちＣ、Ｍ、Ｙの色に応じたＲ、Ｇ、Ｂの色情報を生成する色変換回路６２４と、入力されたＣ、Ｍ、Ｙ、Ｋの色情報のうちＫの色情報に基づいて補正値を特定し、色変換回路６２４により生成されたＲ、Ｇ、Ｂの色情報を特定された補正値に基づいて補正する補正回路６２５と、を備え、補正回路６２５は、入力されたＫの色情報に応じた補正値を特定するための所定の補正値特定用データに基づいてＲ、Ｇ、Ｂの色情報の夫々の補正値を特定する。【選択図】図３
2012253576.tif 000002
【特許請求の範囲】
【請求項１】
入力されたシアン、マゼンタ、イエロー及びブラックの色情報を赤、緑及び青の色情報に変換して出力する色変換装置であって、
入力されたシアン、マゼンタ、イエロー及びブラックの色情報のうち、シアン、マゼンタ及びイエローの色に応じた赤、緑及び青の色情報を生成する生成部と、
この生成部により生成された赤、緑及び青の色情報に基づく色の輝度を補正するための補正値をブラックの色情報に基づいて特定する特定部と、
前記生成部により生成された赤、緑及び青の色情報を前記特定部により特定された前記補正値に基づいて補正する補正部と、を備え、
前記特定部は、入力されたブラックの色情報に応じた補正値を特定するための所定の補正値特定用データに基づいて赤、緑及び青の色情報の夫々の補正値を特定することを特徴とする色変換装置。
【請求項２】
前記生成部は、赤、緑及び青の色情報が入力された場合、入力された赤、緑及び青の色情報をシアン、マゼンタ、イエロー及びブラックの色情報に変換して出力し、
前記色変換装置は、
前記生成部に対して入力される色情報を赤、緑及び青の色情報又はシアン、マゼンタ、イエロー及びブラックの色情報のいずれかとし、前記生成部に対して入力される色情報が赤、緑及び青の色情報である場合、シアン、マゼンタ、イエロー及びブラックの色情報を出力させ、前記生成部に対して入力される色情報がシアン、マゼンタ、イエロー及びブラックの色情報である場合、赤、緑及び青の色情報を出力させる切替部を備えることを特徴とする請求項１に記載の色変換装置。
【請求項３】
前記所定の補正値特定用データは、赤、緑及び青の色情報が示す色の色相又は明度に応じて個別に設けられた複数の補正値を有し、
前記生成部は、生成した赤、緑及び青の色情報が示す色の色相又は明度を示す情報を前記特定部に出力し、
前記特定部は、前記色相又は明度を示す情報に基づいて前記補正値を特定することを特徴とする請求項１又は２に記載の色変換装置。
【請求項４】
シアン、マゼンタ、イエロー及びブラックの色情報を有するＣＭＹＫ画像データの入力に基づいて画像を形成する画像形成装置であって、
請求項１から３のいずれか一項に記載の色変換装置と、
前記色変換装置による色変換後の赤、緑及び青の色情報を有するＲＧＢ画像データに基づく画像を表示する表示部を備えることを特徴とする画像形成装置。
【請求項５】
前記ＣＭＹＫ画像データ又は前記色変換装置による色変換後のＲＧＢ画像データを前記表示部に表示する場合の表示サイズを縮小させる縮小部を備え、
前記表示部は、前記色変換装置による色変換と前記縮小部による縮小とが施されたＲＧＢ画像データに基づく画像を表示することを特徴とする請求項４に記載の画像形成装置。
【請求項６】
入力されたシアン、マゼンタ、イエロー及びブラックの色情報を赤、緑及び青の色情報に変換して出力する色変換方法であって、
シアン、マゼンタ、イエロー及びブラックの色情報を入力する第１工程と、
入力されたシアン、マゼンタ及びイエローの色情報に応じた赤、緑及び青の色情報を生成する第２工程と、
生成された赤、緑及び青の色情報に基づく色の輝度を補正するための補正値をブラックの色情報に基づいて特定する第３工程と、
生成された赤、緑及び青の色情報を前記補正値に基づいて補正する第４工程と、を有し、
前記第３工程は、入力されたブラックの色情報に応じた補正値を特定するための所定の補正値特定用データに基づいて赤、緑及び青の色情報の夫々の補正値を特定することを特徴とする色変換方法。
【発明の詳細な説明】
【技術分野】
【０００１】
本発明は、色変換装置、画像形成装置及び色変換方法に関する。
【背景技術】
【０００２】
従来、カラーレーザープリンター等の画像形成装置はシアン（Ｃ）、マゼンタ（Ｍ）、イエロー（Ｙ）及びブラック（Ｋ）の四色（ＣＭＹＫ）のトナーを用いて画像を形成する。一方、かかる画像形成装置に入力される画像データとして、赤（Ｒ）、緑（Ｇ）及び青（Ｂ）の三色（ＲＧＢ）の色情報を有する画像データ（以下、ＲＧＢ画像データと記載する）が用いられる場合がある。そこで、かかる画像形成装置は、ＲＧＢ画像データの赤（Ｒ）、緑（Ｇ）及び青（Ｂ）の三色の組み合わせをシアン（Ｃ）、マゼンタ（Ｍ）、イエロー（Ｙ）及びブラック（Ｋ）の四色の組み合わせにより再現するための色変換処理を行うための色変換装置を具備している。
【０００３】
また、入力された画像データにより形成される画像のプレビューを行う表示装置を有する画像形成装置がある。かかる画像形成装置において画像データを表示装置に表示する場合、画像データの色情報はＲＧＢ形式である必要がある。一方、かかる画像形成装置に入力される画像データとして、シアン（Ｃ）、マゼンタ（Ｍ）、イエロー（Ｙ）及びブラック（Ｋ）の四色の色情報を有する画像データ（以下、ＣＭＹＫ画像データと記載する）が用いられる場合がある。そこで、かかる画像形成装置は、ＣＭＹＫ画像データのシアン（Ｃ）、マゼンタ（Ｍ）、イエロー（Ｙ）及びブラック（Ｋ）の四色の組み合わせを赤（Ｒ）、緑（Ｇ）及び青（Ｂ）の三色の組み合わせにより再現するための色変換処理を行うための色変換装置を具備している（例えば、特許文献１）。
【０００４】
また、上記のＲＧＢ画像データとＣＭＹＫ画像データとの間の相互の色変換処理を行う色変換装置が知られている。
かかる色変換装置は、色変換前の色情報の数に応じた多次元の格子点上に、変換前の色の組み合わせに対応する変換後の色の組み合わせの情報を格納したルックアップテーブル（Look Up Table：ＬＵＴ）を有する。即ち、色変換装置は、赤（Ｒ）、緑（Ｇ）及び青（Ｂ）の三色の輝度値の組み合わせによる色をシアン（Ｃ）、マゼンタ（Ｍ）、イエロー（Ｙ）及びブラック（Ｋ）の四色の濃度値の組み合わせによる色に変換する場合、赤（Ｒ）、緑（Ｇ）及び青（Ｂ）の三次元ＬＵＴを用い、シアン（Ｃ）、マゼンタ（Ｍ）、イエロー（Ｙ）及びブラック（Ｋ）の四色の濃度値の組み合わせによる色を赤（Ｒ）、緑（Ｇ）及び青（Ｂ）の三色の輝度値の組み合わせによる色に変換する場合、シアン（Ｃ）、マゼンタ（Ｍ）、イエロー（Ｙ）及びブラック（Ｋ）の四次元ＬＵＴを用いる。また、色変換前の色の組み合わせがＬＵＴに設定された色に直接対応しない場合、色変換装置は、ＬＵＴに設定された色のうち近似する色に基づいて色変換後の色情報を算出する補完処理を行う。
なお、濃度値は濃くなる方向（黒に近づく方向）に大の値をとり、輝度値は、より明るい方向（白に近づく方向）に大の値をとるが、以下、簡略に、濃度値や輝度値を「色値」と記述する。
【先行技術文献】
【特許文献】
【０００５】
【特許文献１】特開平７−１６２６９６号公報
【発明の概要】
【発明が解決しようとする課題】
【０００６】
しかしながら、四次元ＬＵＴは、三次元ＬＵＴに比してデータ量が膨大なものとなり、また補完処理のルーチンも複雑となる。このため、従来の色変換装置は、四次元ＬＵＴを用いた色変換処理のために必要な大容量のメモリーや補完処理のための大規模な回路等を備える必要があった。
【０００７】
本発明の課題は、より簡易な仕組みでシアン（Ｃ）、マゼンタ（Ｍ）、イエロー（Ｙ）及びブラック（Ｋ）の四色の組み合わせの色値を赤（Ｒ）、緑（Ｇ）及び青（Ｂ）の三色の組み合わせの色値に変換する色変換装置、画像形成装置及び色変換方法を提供することである。
【課題を解決するための手段】
【０００８】
請求項１に記載の発明は、入力されたシアン、マゼンタ、イエロー及びブラックの色情報を赤、緑及び青の色情報に変換して出力する色変換装置であって、入力されたシアン、マゼンタ、イエロー及びブラックの色情報のうち、シアン、マゼンタ及びイエローの色に応じた赤、緑及び青の色情報を生成する生成部と、この生成部により生成された赤、緑及び青の色情報に基づく色の輝度を補正するための補正値をブラックの色情報に基づいて特定する特定部と、前記生成部により生成された赤、緑及び青の色情報を前記特定部により特定された前記補正値に基づいて補正する補正部と、を備え、前記特定部は、入力されたブラックの色情報に応じた補正値を特定するための所定の補正値特定用データに基づいて赤、緑及び青の色情報の夫々の補正値を特定することを特徴とする。
【０００９】
請求項２に記載の発明は、請求項１に記載の色変換装置であって、前記生成部は、赤、緑及び青の色情報が入力された場合、入力された赤、緑及び青の色情報をシアン、マゼンタ、イエロー及びブラックの色情報に変換して出力し、前記色変換装置は、前記生成部に対して入力される色情報を赤、緑及び青の色情報又はシアン、マゼンタ、イエロー及びブラックの色情報のいずれかとし、前記生成部に対して入力される色情報が赤、緑及び青の色情報である場合、シアン、マゼンタ、イエロー及びブラックの色情報を出力させ、前記生成部に対して入力される色情報がシアン、マゼンタ、イエロー及びブラックの色情報である場合、赤、緑及び青の色情報を出力させる切替部を備えることを特徴とする。
【００１０】
請求項３に記載の発明は、請求項１又は２に記載の色変換装置であって、前記所定の補正値特定用データは、赤、緑及び青の色情報が示す色の色相又は明度に応じて個別に設けられた複数の補正値を有し、前記生成部は、生成した赤、緑及び青の色情報が示す色の色相又は明度を示す情報を前記特定部に出力し、前記特定部は、前記色相又は明度を示す情報に基づいて前記補正値を特定することを特徴とする。
【００１１】
請求項４に記載の発明は、シアン、マゼンタ、イエロー及びブラックの色情報を有するＣＭＹＫ画像データの入力に基づいて画像を形成する画像形成装置であって、請求項１から３のいずれか一項に記載の色変換装置と、前記色変換装置による色変換後の赤、緑及び青の色情報を有するＲＧＢ画像データに基づく画像を表示する表示部を備えることを特徴とする。
【００１２】
請求項５に記載の発明は、請求項４に記載の画像形成装置であって、前記ＣＭＹＫ画像データ又は前記色変換装置による色変換後のＲＧＢ画像データを前記表示部に表示する場合の表示サイズを縮小させる縮小部を備え、前記表示部は、前記色変換装置による色変換と前記縮小部による縮小とが施されたＲＧＢ画像データに基づく画像を表示することを特徴とする。
【００１３】
請求項６に記載の発明は、入力されたシアン、マゼンタ、イエロー及びブラックの色情報を赤、緑及び青の色情報に変換して出力する色変換方法であって、シアン、マゼンタ、イエロー及びブラックの色情報を入力する第１工程と、入力されたシアン、マゼンタ及びイエローの色情報に応じた赤、緑及び青の色情報を生成する第２工程と、生成された赤、緑及び青の色情報に基づく色の輝度を補正するための補正値をブラックの色情報に基づいて特定する第３工程と、生成された赤、緑及び青の色情報を前記補正値に基づいて補正する第４工程と、を有し、前記第３工程は、入力されたブラックの色情報に応じた補正値を特定するための所定の補正値特定用データに基づいて赤、緑及び青の色情報の夫々の補正値を特定することを特徴とする。
【発明の効果】
【００１４】
本発明によれば、より簡易な仕組みでシアン（Ｃ）、マゼンタ（Ｍ）、イエロー（Ｙ）及びブラック（Ｋ）の四色の組み合わせの色値を赤（Ｒ）、緑（Ｇ）及び青（Ｂ）の三色の組み合わせの色値に変換することができる。
【図面の簡単な説明】
【００１５】
【図１】本発明の一実施形態である画像形成装置の一例を示す図である。
【図２】画像形成装置及び画像形成装置に接続された構成の一例を示すブロック図である。
【図３】色変換部の回路構成の一例の模式図である。
【図４】三次元ＬＵＴを座標により表現した場合のイメージ図である。
【図５】ブラック（Ｋ）の色値による色の輝度の変化パターンの一例を示すグラフである。
【図６】変形例における色変換部の回路構成の一例の模式図である。
【図７】赤（Ｒ）、緑（Ｇ）及び青（Ｂ）の色値と色相との対応関係の一例を示すイメージ図である。
【図８】場所により黒（Ｋ）の混色による色域への影響（明度、彩度の低下）に相違があることを示すための、黒（Ｋ）の色値の相違による色域の変化を示した模式図である。
【発明を実施するための形態】
【００１６】
以下、本発明の一実施形態である画像形成装置１について、図面を用いて詳細に説明する。なお、実施形態は本発明の一例であり、これに限定されるものではない。
【００１７】
図１は、本発明の一実施形態である画像形成装置１の一例を示す図である。
図２は、画像形成装置１及び画像形成装置１に接続された構成の一例を示すブロック図である。
画像形成装置１は、専用のバスＢ（例えば、ＰＣＩバス等）を介してプリントコントローラー３００と接続されている。そして、画像形成装置１は、プリントコントローラー３００を介して通信回線Ｌに接続されており、通信回線Ｌを介して端末（ＰＣ２００）と通信可能に接続されている。
【００１８】
画像形成装置１は、原稿から画像を読み取り、読み取った画像データに基づく画像を用紙上に形成して出力するコピー機能や、外部装置等から画像データを含むページデータや各画像データの画像形成条件等を含むジョブデータを受信し、受信したページデータ及びジョブデータに基づく画像を用紙上に形成して出力するプリント機能等を具備している。
【００１９】
画像形成装置１は、画像読取部１０、画像形成部２０、用紙収容部２５、搬送部３０、操作部４０及び画像処理部６０等を備えて構成されている。
【００２０】
画像読取部１０は、ＡＤＦ（Auto Document Feeder）と称される自動原稿送り部１１と、読取部１２とを備えている。
読取部１２は、読取個所であるコンタクトガラス１２ａ上に載置された原稿ｄの画像をＣＣＤ１２ｂ（Charge Coupled Device）により読み取る。
また、自動原稿送り部１１の原稿トレイ１１ａに載置された原稿ｄは、読取個所であるコンタクトガラス１２ａ上に搬送され、ＣＣＤ１２ｂによってその原稿ｄの片面又は両面の画像が読み取られる。
ここで、画像とは、図形や写真等のイメージデータに限らず、文字や記号等のテキストデータ等も含む。
画像読取部１０により読み取られた画像（アナログ画像信号）は、後述する画像処理部６０に出力される。
【００２１】
画像形成部２０は、入力された画像データに基づいて、電子写真方式の画像形成処理を行う。
画像形成部２０は、露光ユニット２Ｙ、２Ｍ、２Ｃ、２Ｋと、現像ユニット３Ｙ、３Ｍ、３Ｃ、３Ｋと、像担持体である感光体ドラム４Ｙ、４Ｍ、４Ｃ、４Ｋと、帯電部５Ｙ、５Ｍ、５Ｃ、５Ｋと、感光体ドラム用のクリーニング部６Ｙ、６Ｍ、６Ｃ、６Ｋと、一次転写ローラ７Ｙ、７Ｍ、７Ｃ、７Ｋと、中間転写ベルト８と、中間転写ベルト用のクリーニング装置９と、二次転写ローラ２１と、定着部２２と、を備えて構成されている。
【００２２】
露光ユニット２Ｙ、２Ｍ、２Ｃ、２Ｋは、ＬＤ等のレーザ光源、ポリゴンミラー、複数のレンズ等から構成されている。
露光ユニット２Ｙ、２Ｍ、２Ｃ、２Ｋは、画像処理部６０から送られた画像データに基づいて、感光体ドラム４Ｙ、４Ｍ、４Ｃ、４Ｋの表面をレーザビームにより走査露光する。このレーザビームの走査露光により、帯電部５Ｙ、５Ｍ、５Ｃ、５Ｋによって帯電された感光体ドラム４Ｙ、４Ｍ、４Ｃ、４Ｋに潜像が形成され、すなわち画像が書き込まれる。
【００２３】
感光体ドラム４Ｙ、４Ｍ、４Ｃ、４Ｋ上に形成された潜像は、対応する現像ユニット３Ｙ、３Ｍ、３Ｃ、３Ｋによる現像によって顕像化され、各感光体ドラム４Ｙ、４Ｍ、４Ｃ、４Ｋ上にはトナー像が形成される。
感光体ドラム４Ｙ、４Ｍ、４Ｃ、４Ｋ上に形成されて担持されたトナー像は一次転写ローラ７Ｙ、７Ｍ、７Ｃ、７Ｋにより、中間転写ベルト８上に一次転写される。
【００２４】
トナー像の転写を終えた各感光体ドラム４Ｙ、４Ｍ、４Ｃ、４Ｋの表面は、クリーニング部６Ｙ、６Ｍ、６Ｃ、６Ｋによって残留トナーが除去される。
【００２５】
中間転写ベルト８は、複数のローラ（例えば、張架ローラ８１〜８４）に懸架され回転可能に支持された無端状のベルト部材（エンドレスベルト）であり、ローラの回転に伴って所定の方向（図１における時計回りの方向）に駆動される。
この中間転写ベルト８は、一次転写ローラ７Ｙ、７Ｍ、７Ｃ、７Ｋによりそれぞれの感光体ドラム４Ｙ、４Ｍ、４Ｃ、４Ｋに圧着される。これにより各感光体ドラム４Ｙ、４Ｍ、４Ｃ、４Ｋの表面に現像された各トナー像が、各一次転写ローラ７Ｙ、７Ｍ、７Ｃ、７Ｋによる転写位置で中間転写ベルト８に転写（一次転写）される。
また、中間転写ベルト８は、二次転写ローラ２１による転写位置で用紙と圧接し、その用紙に中間転写ベルト８上に形成されたトナー像を転写（二次転写）する。
そして、中間転写ベルト８は、二次転写ローラ２１によって用紙にトナー像を転写した後、用紙を曲率及び静電的に分離して定着部２２へ送る。
トナー像を用紙に転写した中間転写ベルト８は、クリーニング装置９により残留トナー等の異物が除去される。
【００２６】
定着部２２は、用紙に転写されたトナー像を定着させる。これにより、用紙にトナー像が定着して画像が形成される。この定着部２２による定着処理を終えた用紙は排紙トレイ８５に排紙される。
【００２７】
用紙収容部２５は、複数の給紙トレイ２５ａ、２５ｂ、２５ｃと、給紙手段２５ｄとを備えて構成されている。
給紙トレイ２５ａ、２５ｂ、２５ｃには、用紙の斤量やサイズ等に応じて識別された各種用紙が予め設定された種類毎に格納されている。
給紙手段２５ｄは、各給紙トレイに収容されている用紙を最上部から１枚ずつ搬送部３０に向けて給紙する。
【００２８】
搬送部３０は、用紙収容部２５から画像転写部（中間転写ベルト８および二次転写ローラ２１）に向かう搬送路Ｒと、その搬送路Ｒに配置されて用紙収容部２５から給紙された用紙を画像転写部に搬送するための複数の搬送ローラ対（３１、３２、３３）とにより構成されている。なお、搬送路Ｒの一部は、画像転写部から排紙トレイ８５に向かう経路や、用紙の表裏を反転させるための経路に延在している。
特に、搬送部３０は、搬送ローラ対として、搬送路Ｒにおいて画像転写部（中間転写ベルト８および二次転写ローラ２１）の上流側直近に配されたレジストローラ３２と、そのレジストローラ３２の上流側に隣接して配されたループローラ３１と、そのループローラ３１と給紙トレイ（給紙手段２５ｄ）との間に配された給紙用ローラ３３とを備えている。
【００２９】
ループローラ３１は、用紙の曲がり（斜行）を矯正する機能を有する。具体的には、ループローラ３１を通過した用紙は、停止した状態のレジストローラ３２に突き当たる
。そして、そのレジストローラ３２に突き当たった用紙は、さらにループローラ３１により搬送されることで湾曲し、レジストローラ３２のニップ線に倣って斜行が矯正される。
レジストローラ３２は、画像形成に備えて搬送途中の用紙を挟持しながら用紙の搬送方向と直交する方向に揺動して、中間転写ベルト８に一次転写されたトナー像に対する用紙の位置調整を行う機能を有する。
【００３０】
操作部４０は、例えば、液晶表示パネル等を有する表示部４１と、表示部４１の表示画面上に設けられたタッチパネル等を備えて構成されており、表示部４１に表示される各種操作キー等をタッチ操作することにより、タッチパネルがタッチ指示された位置を検出し、検出した位置に応じた操作信号を画像処理部６０に出力するようになっている。
【００３１】
ＰＣ２００は、プリンタードライバー等のソフトウェアを実行し、ジョブデータを出力する。ジョブデータは、プリントコントローラー３００を介して画像形成装置１に入力される。
【００３２】
プリントコントローラー３００は、通信回線Ｌに接続されたＰＣ２００等の外部の機器と画像形成装置１との間で行われるデータ伝送に関する各種の処理を行う。
プリントコントローラー３００は、通信部３０１、ＤＲＡＭ３０２、ＤＲＡＭ制御ＩＣ３０３、制御部３０４、ハードディスクドライブ（ＨＤＤ）３０５等を有する。
【００３３】
通信部３０１は、例えば、ネットワークインターフェースカード（Network Interface Card：ＮＩＣ）等を有し、通信回線Ｌと接続し、通信回線Ｌを介して行われるデータ伝送に係る処理を行う。
【００３４】
ＤＲＡＭ３０２は、プリントコントローラー３００に入力された画像データを記憶する。
ＤＲＡＭ制御ＩＣ３０３は、ＤＲＡＭ３０２へのデータの書き込みや、ＤＲＡＭ３０２に記憶されたデータの読み出し等、ＤＲＡＭ３０２の動作制御に関する各種の処理を行う。
【００３５】
制御部３０４は、例えば、図示しないＣＰＵ、ＲＡＭ、ＲＯＭ等を備え、プリントコントローラー３００が行う各種の動作の制御を行う。
ＨＤＤ３０５は、制御部３０４により読み出されるデータや制御部３０４により書き込まれるデータ等の各種のデータを記憶する記憶装置である。
【００３６】
プリントコントローラー３００は、ＰＣ２００により出力されたジョブデータを受信し、ジョブデータに含まれる画像データ（ＣＭＹＫ画像データ）をＤＲＡＭに格納する。そして、プリントコントローラー３００は、ＣＭＹＫ画像データを画像形成装置１に出力する。
また、プリントコントローラー３００は、画像形成装置１の画像読取部１０により読み取られた画像に基づいて生成された画像データ（ＲＧＢ画像データ）をＰＣ２００へ転送する機能も有する。
【００３７】
画像処理部６０は、ＤＲＡＭ制御ＩＣ６１、色変換部６２、画像メモリー６３、ＶＲＡＭ６４、読取処理部６５、書込処理部６６、制御ＣＰＵ６７、ＲＯＭ６８、不揮発メモリー６９等を備える。
【００３８】
ＤＲＡＭ制御ＩＣ６１は、画像読取部１０により出力された画像データやＰＣ２００により出力された画像データを圧縮して画像メモリー６３に記憶させる処理を行う圧縮処理部６１ａや、圧縮された画像データを画像メモリー６３から読み出して圧縮を解除（伸張）して出力する処理等、画像データの圧縮に関する各種の処理を行う伸張処理部６１ｂ、色変換処理を行う色変換部６２等を備える。
また、ＤＲＡＭ制御ＩＣ６１は、画像データを操作部４０の表示部４１にサムネイル形式で表示させるための画像の表示サイズの縮小処理を行う。ここで、ＤＲＡＭ制御ＩＣ６１は、表示部４１に表示する場合の表示サイズを縮小させる縮小部として機能する。
【００３９】
色変換部６２は、ＲＧＢ画像データとＣＭＹＫ画像データとの間における相互の色変換処理を行う。即ち、色変換部６２は、ＣＭＹＫ画像データの色情報からＲＧＢ画像データの色情報を生成するための色変換処理と、ＲＧＢ画像データの色情報からＣＭＹＫ画像データの色情報を生成するための色変換処理とを行う。色変換部６２の詳細は後述する。
【００４０】
画像メモリー６３は、ＤＲＡＭ制御ＩＣ６１により圧縮された画像データを記憶する圧縮データ格納領域６３ａ、圧縮後に伸張され、画像形成部２０による画像形成に用いられる画像データ（ページデータ）を記憶するページ格納領域６３ｂ、サムネイル形式による表示を行うための縮小処理が施された画像データを記憶するサムネイル格納領域６３ｃ等を有し、これらの各種の画像データを記憶する。
【００４１】
ＶＲＡＭ６４は、操作部４０の表示部４１の表示内容に応じたデータを記憶するためのビデオＲＡＭである。ＶＲＡＭ６４は、例えば、ＤＲＡＭ制御ＩＣ６１による縮小処理と、色変換部６２による色変換処理とが施されたＲＧＢ画像データを記憶する。この場合、操作部４０の表示部４１には、画像データの縮小イメージがサムネイル形式で表示される。
【００４２】
読取処理部６５は、画像読取部１０のＣＣＤ１２ｂにより読み取られた画像を取得してアナログ／デジタル変換等の各種処理を施してＲＧＢ画像データとしてＤＲＡＭ制御ＩＣ６１に出力する。
【００４３】
書込処理部６６は、ＤＲＡＭ制御ＩＣ６１により出力されたページデータを取得して画像形成部２０に出力する。画像形成部２０は、ページデータに基づいて画像形成を行う。
【００４４】
制御ＣＰＵ６７は、画像処理部６０や画像形成装置１の各部の動作制御を行う。
ＲＯＭ６８、不揮発メモリー６９は、制御ＣＰＵ６７等の画像処理部６０の各部により読み出されるプログラムやデータ等を記憶する。
また、プリントコントローラー３００のＤＲＡＭ制御ＩＣ３０３と画像処理部６０のＤＲＡＭ制御ＩＣ６１とを接続するバスＢには、ＨＤＤ７０が接続されている。
【００４５】
ここで、ＣＭＹＫ画像データ及びＲＧＢ画像データに関するデータ処理の流れについて説明する。
ＤＲＡＭ制御ＩＣ６１は、画像データの入出力の制御に関する処理を行う。
具体的には、ＤＲＡＭ制御ＩＣ６１は、画像読取部１０による画像の読取が行われた場合、読取処理部６５により出力されたＲＧＢ画像データの画素を間引きして表示部４１に表示された場合の画像の表示サイズを縮小する縮小処理を行い、サムネイル格納領域６３ｃに記憶させる。また、ＤＲＡＭ制御ＩＣ６１は、読取処理部６５により出力されたＲＧＢ画像データに対して、色変換部６２による色変換処理を施してＣＭＹＫ画像データを取得し、取得されたＣＭＹＫ画像データに対して圧縮処理部６１ａによる圧縮処理を施して圧縮データ格納領域６３ａに記憶させる。
【００４６】
また、ＤＲＡＭ制御ＩＣ６１は、プリントコントローラー３００を介してＣＭＹＫ画像データが入力されると、入力されたＣＭＹＫ画像データに対して圧縮処理部６１ａによる圧縮処理を施して圧縮データ格納領域６３ａに記憶させる。
【００４７】
また、ＤＲＡＭ制御ＩＣ６１は、画像形成部２０による画像の形成のために、圧縮されたＣＭＹＫ画像データを伸張処理部６１ｂにより伸張してページデータを取得し、書込処理部６６に直接出力するか又はページ格納領域６３ｂに記憶させる。また、ＤＲＡＭ制御ＩＣ６１は、ページ格納領域６３ｂに記憶されているページデータを読み出して書込処理部６６に出力する。
【００４８】
また、ＤＲＡＭ制御ＩＣ６１は、ＣＭＹＫ画像データとして画像形成装置１に入力された画像に対して、色変換部６２による色変換処理を施してＲＧＢ画像データを取得し、取得されたＲＧＢ画像データの画素を間引きして表示部４１に表示された場合の画像の表示サイズを縮小する縮小処理を行い、サムネイル格納領域６３ｃに記憶させる。
【００４９】
また、ＤＲＡＭ制御ＩＣ６１は、サムネイル格納領域６３ｃに記憶されている縮小処理が施されたＲＧＢ画像データを読み出してサムネイル画像としてＶＲＡＭ６４に出力する。表示部４１は、ＶＲＡＭ６４に格納されたサムネイル画像を表示する。
【００５０】
次に、色変換装置として機能する色変換部６２について説明する。
図３は、色変換部６２の回路構成の一例の模式図である。
色変換部６２は、入出力切替部６２１、セレクター６２２、６２３、色変換回路６２４、補正回路６２５等を備える。
【００５１】
入出力切替部６２１は、色変換部６２が入力を受け付ける色情報の組み合わせと色変換部６２が出力する色情報の組み合わせの設定を切り替える。
具体的には、入出力切替部６２１は、制御ＣＰＵ６７の制御下で、赤（Ｒ）、緑（Ｇ）及び青（Ｂ）の色情報の入力に対してシアン（Ｃ）、マゼンタ（Ｍ）、イエロー（Ｙ）及びブラック（Ｋ）の色情報を出力する設定と、シアン（Ｃ）、マゼンタ（Ｍ）、イエロー（Ｙ）及びブラック（Ｋ）の色情報の入力に対して赤（Ｒ）、緑（Ｇ）及び青（Ｂ）の色情報を出力する設定とを切り替える。
【００５２】
セレクター６２２、６２３は、入出力切替部６２１による切替制御に応じて、入出力させる色情報を切り替える。
具体的には、セレクター６２２は、色変換回路６２４と接続されており、色変換部６２に入力された赤（Ｒ）、緑（Ｇ）及び青（Ｂ）の色情報又はシアン（Ｃ）、マゼンタ（Ｍ）及びイエロー（Ｙ）の色情報を色変換回路６２４に入力可能とする。
また、セレクター６２３は、色変換回路及び補正回路６２５と接続されており、色変換回路６２４により出力されたシアン（Ｃ）、マゼンタ（Ｍ）、イエロー（Ｙ）及びブラック（Ｋ）の色情報又は補正回路６２５により出力された赤（Ｒ）、緑（Ｇ）及び青（Ｂ）の色情報を取得して出力する。
ここで、入出力切替部６２１及びセレクター６２２、６２３は、生成部（色変換回路６２４）に対して入力される色情報を赤（Ｒ）、緑（Ｇ）及び青（Ｂ）の色情報又はシアン（Ｃ）、マゼンタ（Ｍ）、イエロー（Ｙ）及びブラック（Ｋ）の色情報のいずれかとし、生成部に対して入力される色情報が赤（Ｒ）、緑（Ｇ）及び青（Ｂ）の色情報である場合、シアン（Ｃ）、マゼンタ（Ｍ）、イエロー（Ｙ）及びブラック（Ｋ）の色情報を出力させ、生成部に対して入力される色情報がシアン（Ｃ）、マゼンタ（Ｍ）、イエロー（Ｙ）及びブラック（Ｋ）の色情報である場合、赤（Ｒ）、緑（Ｇ）及び青（Ｂ）の色情報を出力させる切替部として機能する。
【００５３】
色変換回路６２４は、赤（Ｒ）、緑（Ｇ）及び青（Ｂ）の色情報が入力された場合、入力された赤（Ｒ）、緑（Ｇ）及び青（Ｂ）の色情報をシアン（Ｃ）、マゼンタ（Ｍ）、イエロー（Ｙ）及びブラック（Ｋ）の色情報に変換して出力し、シアン（Ｃ）、マゼンタ（Ｍ）及びイエロー（Ｙ）の色情報が入力された場合、入力されたシアン（Ｃ）、マゼンタ（Ｍ）及びイエロー（Ｙ）の色情報を赤（Ｒ）、緑（Ｇ）及び青（Ｂ）の色情報に変換して出力する。
具体的には、色変換回路６２４は、色変換前の色情報の数に応じた多次元の格子点上に、変換前の色の組み合わせに対応する変換後の色の組み合わせの情報を格納したルックアップテーブル（ＬＵＴ）を有しており、ＬＵＴに基づいて色変換処理を行う。
【００５４】
図４は、三次元ＬＵＴを座標により表現した場合のイメージ図である。
図４に示すように、ＬＵＴは、例えば、シアン（Ｃ）、マゼンタ（Ｍ）及びイエロー（Ｙ）の色値に対応する軸により構成される三次元の空間に設定された色変換後の色に対応する赤（Ｒ）、緑（Ｇ）及び青（Ｂ）の色値の組み合わせを示す格子点を示すデータである。図４に示す例の場合、シアン（Ｃ）、マゼンタ（Ｍ）及びイエロー（Ｙ）の色値の組み合わせパターン（Ｃ１，Ｍ１，Ｌ１）の入力に対応する色変換後の赤（Ｒ）、緑（Ｇ）及び青（Ｂ）の色値の組み合わせパターンは（Ｒ１，Ｇ１，Ｂ１）となる。
図４では、例示として、一のシアン（Ｃ）、マゼンタ（Ｍ）及びイエロー（Ｙ）の色値の組み合わせパターン（Ｃ１，Ｍ１，Ｌ１）と赤（Ｒ）、緑（Ｇ）及び青（Ｂ）の色値の組み合わせパターン（Ｒ１，Ｇ１，Ｂ１）との関係のみを示しているが、ＬＵＴは、色変換前後の複数の組み合わせパターンを示すデータを含む。また、図４では、シアン（Ｃ）、マゼンタ（Ｍ）及びイエロー（Ｙ）を入力とし、赤（Ｒ）、緑（Ｇ）及び青（Ｂ）を出力としているが、赤（Ｒ）、緑（Ｇ）及び青（Ｂ）を入力とし、シアン（Ｃ）、マゼンタ（Ｍ）、イエロー（Ｙ）及びブラック（Ｋ）を出力とするＬＵＴも別途設けられており、色変換回路６２４は双方の入出力に対応するＬＵＴを有する。
【００５５】
色変換回路６２４は、セレクター６２２を介して入力された色情報に応じたＬＵＴを読み出して、色変換後の色情報を取得する。
具体的には、色変換回路６２４は、赤（Ｒ）、緑（Ｇ）及び青（Ｂ）の三色の組み合わせの色をシアン（Ｃ）、マゼンタ（Ｍ）、イエロー（Ｙ）及びブラック（Ｋ）の四色の組み合わせの色に変換する場合、赤（Ｒ）、緑（Ｇ）及び青（Ｂ）の三次元ＬＵＴを用いて色変換後のシアン（Ｃ）、マゼンタ（Ｍ）、イエロー（Ｙ）及びブラック（Ｋ）の四色の色値を特定する。また、色変換回路６２４は、シアン（Ｃ）、マゼンタ（Ｍ）及びイエロー（Ｙ）の三色の組み合わせの色を赤（Ｒ）、緑（Ｇ）及び青（Ｂ）の三色の組み合わせの色に変換する場合、シアン（Ｃ）、マゼンタ（Ｍ）及びイエロー（Ｙ）の三次元ＬＵＴを用いて色変換後の赤（Ｒ）、緑（Ｇ）及び青（Ｂ）の三色の色値を特定する。
また、色変換前の色の組み合わせがＬＵＴに設定された色に直接対応しない場合、色変換回路６２４は、ＬＵＴに設定された色のうち近似する色に基づいて色変換後の色情報を算出する補完処理を行う。
このように、色変換回路６２４は、入力されたシアン（Ｃ）、マゼンタ（Ｍ）、イエロー（Ｙ）及びブラック（Ｂ）の色情報のうち、シアン（Ｃ）、マゼンタ（Ｍ）及びイエロー（Ｙ）の色に応じた赤（Ｒ）、緑（Ｇ）及び青（Ｂ）の色情報を生成する生成部として機能する。
【００５６】
色変換回路６２４により出力された色変換後の色情報のうち、シアン（Ｃ）、マゼンタ（Ｍ）、イエロー（Ｙ）及びブラック（Ｋ）の四色の色値の組み合わせによる色情報は、セレクター６２３を介して出力される。
一方、色変換回路６２４により出力された色変換後の色情報のうち、赤（Ｒ）、緑（Ｇ）及び青（Ｂ）の三色の色値の組み合わせによる色情報は、補正回路６２５に出力される。
【００５７】
補正回路６２５は、入力されたシアン（Ｃ）、マゼンタ（Ｍ）、イエロー（Ｙ）及びブラック（Ｋ）の色情報のうち、ブラック（Ｋ）の色情報に基づいて補正値を特定する。
具体的には、補正回路６２５は、所定の補正値特定用データを参照し、入力されたブラック（Ｋ）の色値に応じた補正値を特定する。
【００５８】
図５は、ブラック（Ｋ）の色値による色の輝度の変化パターンの一例を示すグラフである。
図５に示すように、一般的に、ブラック（Ｋ）の色値が大きいほど色の輝度は小さく、ブラック（Ｋ）の色値が小さいほど色の輝度は大きい。ここで、ブラック（Ｋ）の色値の大小と色の輝度の大小との対応関係は必ずしも比例しない。また、ブラック（Ｋ）の値の大小による色閾の変化はほとんどない。
【００５９】
図５に示すブラック（Ｋ）の色値による色の輝度の変化パターンに基づく説明を言い換えれば、ブラック（Ｋ）の色値による色の輝度の変化パターンを予めデータとして有しておくことにより、ブラック（Ｋ）の色値に応じた色の輝度の変化を再現できることとなる。例えば、図５に示す例の場合、ブラック（Ｋ）の値Ｋａに対応する輝度は値Ｂａであり、ブラック（Ｋ）の値Ｋｂに対応する輝度は値Ｂｂである。
よって、本実施形態では、ブラック（Ｋ）の色値が加わることによる色の輝度の変化を示すＬＵＴが補正値特定用データとして設けられている。
【００６０】
また、ブラック（Ｋ）の色値の大小と色の輝度の大小との対応関係は、ブラック（Ｋ）の色値が加わることによる色の輝度の変化が生じる前の色により異なる場合がある。よって、本実施形態では、赤（Ｒ）、緑（Ｇ）及び青（Ｂ）の夫々の色について個別に補正値特定用データが設けられている。
なお、図５に示す例では、一つのブラック（Ｋ）の色値による色の輝度の変化パターンにおいて、異なる二つのブラック（Ｋ）の値の夫々に応じた輝度について示しているが、一例であり、これに限られるものではなく、補正用算出データはより多くのブラック（Ｋ）の値に対応する輝度のデータを含む。
【００６１】
補正回路６２５は、赤（Ｒ）、緑（Ｇ）及び青（Ｂ）の夫々について個別に設けられた補正値特定用データを参照し、ブラック（Ｋ）の色値に応じた補正値を赤（Ｒ）、緑（Ｇ）及び青（Ｂ）の夫々について個別に特定する。即ち、補正回路６２５は、ブラック（Ｋ）の色情報に基づいて赤（Ｒ）、緑（Ｇ）及び青（Ｂ）の色情報に基づく色の輝度を補正するための補正値を特定する特定部として機能する。
ここで、補正値は、例えば、ブラック（Ｋ）の色値が最小（例えば、０）である場合の赤（Ｒ）、緑（Ｇ）及び青（Ｂ）の夫々の色の輝度を１、ブラック（Ｋ）の色値が最大（例えば、８[bit]の色値の場合、２５５）である場合の色の輝度を０とした場合における輝度の大小を０〜１で示した値である。
【００６２】
また、補正回路６２５は、特定された前記補正値に基づいて、色変換回路６２４により生成された赤（Ｒ）、緑（Ｇ）及び青（Ｂ）の色情報を補正する。
具体的には、例えば、補正回路６２５は、色変換回路６２４により出力された赤（Ｒ）、緑（Ｇ）及び青（Ｂ）の夫々の色値を取得し、取得した夫々の色値に対して赤（Ｒ）、緑（Ｇ）及び青（Ｂ）の夫々について特定された補正値を個別に適用した色値を算出して出力する。ここで、色変換回路６２４により出力された赤（Ｒ）、緑（Ｇ）及び青（Ｂ）の夫々の色値は、色変換部６２に入力されたシアン（Ｃ）、マゼンタ（Ｍ）、イエロー（Ｙ）及びブラック（Ｋ）の色値のうち、ブラック（Ｋ）の色情報を除いたシアン（Ｃ）、マゼンタ（Ｍ）及びイエロー（Ｙ）の色値に基づいて得られた色値である。即ち、色変換回路６２４により出力された赤（Ｒ）、緑（Ｇ）及び青（Ｂ）の夫々の色値は、ブラック（Ｋ）の色値が最小（例えば、０）である場合の赤（Ｒ）、緑（Ｇ）及び青（Ｂ）の夫々の色の輝度を有する。よって、補正値により、ブラック（Ｋ）の色値による輝度の変化を加味することで、色変換回路６２４により出力された赤（Ｒ）、緑（Ｇ）及び青（Ｂ）の色値を、色変換部６２に入力されたシアン（Ｃ）、マゼンタ（Ｍ）、イエロー（Ｙ）及びブラック（Ｋ）の色値に対応する赤（Ｒ）、緑（Ｇ）及び青（Ｂ）の色値とすることができる。即ち、補正回路６２５は、色変換回路６２４により生成された赤、緑及び青の色情報を特定された前記補正値に基づいて補正する補正部として機能する。
【００６３】
本実施形態の補正回路６２５は、ブラック（Ｋ）の色情報に基づいて特定された０〜１により示される補正値により色変換回路６２４から得られた赤（Ｒ）、緑（Ｇ）及び青（Ｂ）の色値を補正することで、色変換部６２に入力されたシアン（Ｃ）、マゼンタ（Ｍ）、イエロー（Ｙ）及びブラック（Ｋ）の色値に対応する赤（Ｒ）、緑（Ｇ）及び青（Ｂ）の夫々の色値を出力する。
色変換回路６２４により出力される赤（Ｒ）、緑（Ｇ）及び青（Ｂ）の夫々の色値をｒ１、ｇ１、ｂ１、補正回路６２５により出力される赤（Ｒ）、緑（Ｇ）及び青（Ｂ）の夫々の色値をｒ２、ｇ２、ｂ２、赤（Ｒ）、緑（Ｇ）及び青（Ｂ）の夫々の補正値特定用データをＬＵＴｒ、ＬＵＴｇ、ＬＵＴｂ、ブラック（Ｋ）の値に応じた赤（Ｒ）、緑（Ｇ）及び青（Ｂ）の夫々の補正値をＬＵＴｒ［Ｋ］、ＬＵＴｇ［Ｋ］、ＬＵＴｂ［Ｋ］とした場合、補正回路６２５は、以下の式（１）〜（３）の式に基づいて補正後の色値を算出する。
ｒ２＝ｒ１×ＬＵＴｒ［Ｋ］…（１）
ｇ２＝ｇ１×ＬＵＴｇ［Ｋ］…（２）
ｂ２＝ｂ１×ＬＵＴｂ［Ｋ］…（３）
【００６４】
なお、本実施形態の色変換回路６２４及び補正回路６２５は、例えば、上述の実施形態に記載した機能を組み込まれたＡＳＩＣ（Application Specific Integrated Circuit）やＦＰＧＡ（Field-Programmable Gate Array）によるが、一例であり、これに限られるものではない。例えば、汎用の演算装置（ＣＰＵ等）と、色変換のための三次元ＬＵＴや補正値の特定のための所定の補正値特定用データ等を記憶した記憶装置との組み合わせにより色変換装置を構成してもよい。
【００６５】
以上、本実施形態の画像形成装置によれば、色変換部６２の色変換回路６２４が、シアン（Ｃ）、マゼンタ（Ｍ）、イエロー（Ｙ）及びブラック（Ｋ）の色情報のうち、シアン（Ｃ）、マゼンタ（Ｍ）及びイエロー（Ｙ）の色に応じた赤（Ｒ）、緑（Ｇ）及び青（Ｂ）の色情報を生成するので、赤（Ｒ）、緑（Ｇ）及び青（Ｂ）の色情報に用いるＬＵＴは三次元ＬＵＴとなり、四次元ＬＵＴに比してデータ量が小さく、また補完処理のルーチンもより簡易となる。即ち、四次元ＬＵＴを用いた色変換処理のために必要な大容量のメモリーや補完処理のための大規模な回路等が不要となり、より簡易な仕組みで色変換を行うことができる。
さらに、補正回路６２５が、ブラック（Ｋ）の色情報に基づいて、色変換回路６２４により生成された赤（Ｒ）、緑（Ｇ）及び青（Ｂ）の色情報に基づく色の輝度を補正するための補正値を特定し、色変換回路６２４により生成された赤（Ｒ）、緑（Ｇ）及び青（Ｂ）の色情報を特定された補正値に基づいて補正するので、色変換後の赤（Ｒ）、緑（Ｇ）及び青（Ｂ）の色情報に対して、補正値により、ブラック（Ｋ）の色値による輝度の変化を加味することで、色変換回路６２４により出力された赤（Ｒ）、緑（Ｇ）及び青（Ｂ）の色値を、色変換部６２に入力されたシアン（Ｃ）、マゼンタ（Ｍ）、イエロー（Ｙ）及びブラック（Ｋ）の色値に対応する赤（Ｒ）、緑（Ｇ）及び青（Ｂ）の色値とすることができ、色変換回路６２４による色変換処理においてブラック（Ｋ）の色情報を用いないことにより生じうる色再現の精度の低下を補完することができ、色再現の精度を確保することができることとなる。
さらに、補正回路６２５は、入力されたブラック（Ｋ）の色情報に応じた補正値を特定するための所定の補正値特定用データに基づいて赤（Ｒ）、緑（Ｇ）及び青（Ｂ）の色情報の夫々の補正値を特定するので、赤（Ｒ）、緑（Ｇ）及び青（Ｂ）の夫々の色のスペクトルが示すブラック（Ｋ）の色値による色の輝度の変化パターンに応じた補正値を得ることができ、色変換後の赤（Ｒ）、緑（Ｇ）及び青（Ｂ）の色情報に対してブラック（Ｋ）の色値による輝度の変化を加味することによる色再現の精度をより高いレベルで確保することができる。
よって、画像形成装置１の色変換部６２は、より簡易な仕組みでシアン（Ｃ）、マゼンタ（Ｍ）、イエロー（Ｙ）及びブラック（Ｋ）の四色の組み合わせの色を赤（Ｒ）、緑（Ｇ）及び青（Ｂ）の三色の組み合わせの色に変換することができる。
【００６６】
また、色変換回路６２４は、赤（Ｒ）、緑（Ｇ）及び青（Ｂ）の色情報が入力された場合、入力された赤（Ｒ）、緑（Ｇ）及び青（Ｂ）の色情報をシアン（Ｃ）、マゼンタ（Ｍ）、イエロー（Ｙ）及びブラック（Ｋ）の色情報に変換して出力するので、ＣＭＹＫ画像データとＲＧＢ画像データとの間の相互の色変換処理を行うことができる。
【００６７】
また、画像形成装置１は、色変換部６２による色変換後のＲＧＢ画像データに基づく画像を表示する表示部４１を備えるので、画像形成装置１は、入力されたＣＭＹＫ画像データをＲＧＢ画像データに変換して表示部４１に表示させることができ、ユーザによる画像データの視覚的な確認の機会を与えることができる。
【００６８】
また、表示部４１は、色変換部による色変換と縮小とが施されたＲＧＢ画像データに基づく画像を表示するので、一つの画像データの表示に用いる表示領域の大きさをより小さくすることができ、表示部４１に複数の画像データを表示させることや、画像データ以外の情報（例えば、画像形成装置１の操作に関する各種の情報等）を画像と同時に表示させること等、表示部４１による表示の態様をより多様にすることができる。
【００６９】
また、色変換部６２は、ＣＭＹＫ画像データとＲＧＢ画像データとの間の相互の色変換処理のいずれも、色変換回路６２４の三次元ＬＵＴによる色変換処理に基づいて行うことができるので、四次元ＬＵＴを用いる大規模で複雑な色変換回路を用いず、既存の三次元ＬＵＴによる色変換処理のための回路（例えば、既存のＲＧＢ→ＣＭＹＫ色変換回路等）を流用してＣＭＹＫ画像データとＲＧＢ画像データとの間の相互の色変換処理を提供することができ、より低コストで簡易な仕組みによりＣＭＹＫ画像データとＲＧＢ画像データとの間の相互の色変換処理を提供することができる。
【００７０】
なお、本発明の実施の形態は、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７１】
（変形例）
以下、図６及び図７を用いて、本発明の変形例による画像形成装置について説明する。変形例の説明において、上記の実施形態と同様の構成については同じ符号を付し、説明を省略する。
変形例による画像形成装置は、画像形成装置１における色変換部６２に代えて図６に示す色変換部６２Ａを備えることを除き、上述の実施形態における画像形成装置１と同様の構成を有する。
【００７２】
図６に示すように、色変換部６２Ａは、入出力切替部６２１、セレクター６２２、６２３、色変換回路６２４Ａ、補正回路６２５Ａ等を備える。このうち、入出力切替部６２１、セレクター６２２、６２３については上記の実施形態における色変換部６２の構成と同様であるので、説明を省略する。
【００７３】
色変換回路６２４Ａは、上記の実施形態の色変換回路６２４の機能に加えて、シアン（Ｃ）、マゼンタ（Ｍ）及びイエロー（Ｙ）の色情報が入力された場合、入力されたシアン（Ｃ）、マゼンタ（Ｍ）及びイエロー（Ｙ）の色情報を赤（Ｒ）、緑（Ｇ）及び青（Ｂ）の色情報に変換して出力することに加えて、色の色相又は明度に応じた値Ｘを出力する。
補正回路６２５Ａは、色変換回路６２４Ａにより出力された値Ｘに基づいて、補正値を特定するために用いる補正値特定用データを決定し、決定された補正値特定用データを参照し、入力されたブラック（Ｋ）の色値に応じた補正値を特定する。
【００７４】
図７は、赤（Ｒ）、緑（Ｇ）及び青（Ｂ）の色値と色相との対応関係の一例を示すイメージ図である。
例えば、赤（Ｒ）、緑（Ｇ）及び青（Ｂ）の組み合わせ等、複数の色の色値に対応する軸により構成される三次元の空間において、各色成分の色値の大小に応じて、際立った色の波長がどの色になるのかが変わる等の色の様相の相違が生じる。
変形例の色変換回路６２４Ａは、かかる色の様相の相違に基づいて複数の色相を予め設定し、さらに、各色相と、各色相に含まれる色変換後の赤（Ｒ）、緑（Ｇ）及び青（Ｂ）の色値の組み合わせパターンとを対応付けるための色相特定データを有する。色変換回路６２４Ａは、色相特定データを読み出して色変換後の赤（Ｒ）、緑（Ｇ）及び青（Ｂ）の色値の組み合わせパターンに応じた色相（例えば、図７に示す色相Ｘ１、Ｘ２、Ｘ３のいずれか）を特定し、特定された色相を示す値として値Ｘを出力する。
変形例では、ブラック（Ｋ）の値が最小である場合の色の様相の相違に基づいて複数の色相が予め決定されている。
【００７５】
シアン（Ｃ）、マゼンタ（Ｍ）、イエロー（Ｙ）だけからなる色域（すなわちブラック（Ｋ）の濃度値が０の場合）に比べ、これにブラック（Ｋ）が加わった場合には、色域が狭くなり、明度、彩度方向に縮んだ色域となる。これらは概ね、ブラック（Ｋ）の濃度値＝０での色域に含まれる範囲となり、一部はみ出す領域は、明度について暗くなる方向にある。
これを模式的に描くと図８のようになる。図８は説明の為の模式図で、歪んだ形状を有する実際の色域を忠実に描写したものではないが、ここでは、ＣＭＹの色域立体の断面の概略図を示す形にて、縦軸は明度、横軸は彩度：例えばＬａｂ色空間でのｂ軸にあたる  青色(−側)−黄色(＋側)方向を示す。
ここで、黄色側は、明度および彩度ともに高いのに比べ、はじめから青側は黄色より小さい値をとる。この両者に対してＫの混色の度合いが強まるにつれ、ＲＧＢ輝度値が全部０の黒方向に近づく度合は、色相や色値によって異なることとなる。
このようにブラック（Ｋ）の濃度値Ｋ＝０における色相や色値の相違によって、Ｋが加わった時の変化分の相違を加味した色変換を実現する上で、３次元ＬＵＴでのＲＧＢからＹＭＣＫへの色変換回路を、逆変換に転用する際、ＣＭＹからＲＧＢへの色変換のついでに、ブラック（Ｋ）での補正用ＬＵＴ選択用の情報Ｘを出力することで、色相や色値の異なる場所によるブラック（Ｋ）の影響度の相違を吸収して、選択するＬＵＴの切り替えにより、ブラック（Ｋ）の濃度値=０での出力値に対応するＲＧＢ輝度値からブラック（Ｋ）が加わった際のＲＧＢ輝度値の低下分を算出する事で、元の色相、色値の違いを加味して、色変換の精度を上げることができる。
【００７６】
補正回路６２５Ａは、予め設定された複数の色相の夫々について個別に設けられた補正値特定用データを有する。
補正回路６２５Ａは、色変換回路６２４Ａにより出力された値Ｘを取得すると、値Ｘに応じた色相の補正値特定用データを読み出して補正値を特定し、色変換回路６２４Ａにより出力された色変換後の色値を補正する。変形例では、複数の色相の夫々について個別に設けられた補正値特定用データの夫々が、ブラック（Ｋ）の値に応じた補正値を赤（Ｒ）、緑（Ｇ）及び青（Ｂ）の夫々の色について個別に特定するためのデータとして設けられている。
色変換回路６２４Ａにより出力される赤（Ｒ）、緑（Ｇ）及び青（Ｂ）の夫々の色値をｒ３、ｇ３、ｂ３、補正回路６２５Ａにより出力される赤（Ｒ）、緑（Ｇ）及び青（Ｂ）の夫々の色値をｒ４、ｇ４、ｂ４、色相に応じた赤（Ｒ）、緑（Ｇ）及び青（Ｂ）の夫々の補正値特定用データをＬＵＴｒ［Ｘ］、ＬＵＴｇ［Ｘ］、ＬＵＴｂ［Ｘ］、色の色相に応じた値Ｘとブラック（Ｋ）の値に応じた赤（Ｒ）、緑（Ｇ）及び青（Ｂ）の夫々の補正値をＬＵＴｒ［Ｘ］［Ｋ］、ＬＵＴｇ［Ｘ］［Ｋ］、ＬＵＴｂ［Ｘ］［Ｋ］とした場合、補正回路６２５Ａは、以下の式（４）〜（６）の式に基づいて補正後の色値を算出する。
ｒ４＝ｒ３×ＬＵＴｒ［Ｘ］［Ｋ］…（４）
ｇ４＝ｇ３×ＬＵＴｇ［Ｘ］［Ｋ］…（５）
ｂ４＝ｂ３×ＬＵＴｂ［Ｘ］［Ｋ］…（６）
【００７７】
変形例によれば、補正値特定用データは、赤、緑及び青の色情報が示す色の色相に応じて個別に設けられた複数の補正値を有し、色変換回路６２４Ａは、色変換後の赤、緑及び青の色情報が示す色の色相を示す値Ｘを出力し、補正回路６２５Ａは、色相を示す情報に基づいて補正値を特定するので、色相により異なるブラック（Ｋ）の色値による色の輝度の変化パターンに応じた補正値を得ることができ、色変換後の赤（Ｒ）、緑（Ｇ）及び青（Ｂ）の色情報に対してブラック（Ｋ）の色値による輝度の変化を加味することによる色再現の精度をより高いレベルで確保することができる。
【００７８】
なお、上記の実施形態及び変形例では、所定の補正値特定用データが、赤（Ｒ）、緑（Ｇ）及び青（Ｂ）の色情報の夫々について個別に設けられているが、具体的なデータの形式について何ら制限を受けるものではない。例えば、一つのデータとしての補正値特定用データが、ブラック（Ｋ）の値に応じた赤（Ｒ）、緑（Ｇ）及び青（Ｂ）の夫々の補正値を示す情報を有していてもよい。また、赤（Ｒ）、緑（Ｇ）及び青（Ｂ）の夫々の補正値を個別に特定するための補正値特定用データを夫々個別のデータとして設けられていてもよい。変形例のように、色相を示す値Ｘを用いた補正値の決定においても同様であり、例えば、値Ｘと、ブラック（Ｋ）の値と、補正値との対応関係を示す一のデータを用いて補正値を決定してもよい。
【００７９】
また、図７では、三つの色域Ｘ１、Ｘ２、Ｘ３を設けた場合について例示しているが、一例であり、これに限られるものではない。例えば、色相の方向別に２５６の色相を設けてもよい。
また、上記の変形例では、色相の特定結果を赤（Ｒ）、緑（Ｇ）及び青（Ｂ）の三色で共有しているが、赤（Ｒ）、緑（Ｇ）及び青（Ｂ）の色値に応じて個別に色相の特定範囲を設けてもよい。
【００８０】
また、変形例における値Ｘのように、色変換回路６２４Ａにより出力された赤（Ｒ）、緑（Ｇ）及び青（Ｂ）以外の値に基づいて補正値を決定する仕組みにおいて、色相以外の情報に基づいて赤（Ｒ）、緑（Ｇ）及び青（Ｂ）以外の値を決定してもよい。例えば、色相ではなく赤（Ｒ）、緑（Ｇ）及び青（Ｂ）の色値の大小に応じて補正値特定用データを複数設けるようにしてもよい。
【００８１】
また、表示部４１に表示する画像データは、縮小された画像データに限らない。例えば、元の画像データの画素を間引きしない画像データであってもよい。また、色変換処理と縮小処理の実施順序は順不同であり、色変換処理後に縮小処理を行ってもよいし、縮小処理後に色変換処理を行ってもよい。
【００８２】
また、上記の実施形態では、補正回路６２５、６２５Ａが特定部及び補正部として機能しているが、特定部と補正部とをそれぞれ個別の構成として設けてもよい。
【００８３】
また、本発明による色変換装置及び色変換方法は、画像形成装置に限らず、他の構成における色変換処理のために用いてもよい。例えば、入力されたＣＭＹＫ画像データを表示する表示装置等に適用してもよい。
【符号の説明】
【００８４】
１      画像形成装置
１０    画像読取部
２０    画像形成部
４０    操作部
４１    表示部
６０    画像処理部
６１    ＤＲＡＭ制御ＩＣ（縮小部）
６２    色変換部（色変換装置）
６３    画像メモリー
６２１  入出力切替部
６２２  セレクター
６２３  セレクター
６２４  色変換回路（生成部）
６２５  補正回路（特定部、補正部）
【図１】
2012253576.tif 000003
【図２】
2012253576.tif 000004
【図３】
2012253576.tif 000005
【図４】
2012253576.tif 000006
【図５】
2012253576.tif 000007
【図６】
2012253576.tif 000008
【図７】
2012253576.tif 000009
【図８】
2012253576.tif 000010